(57)【要約】【課題】プロテクタ本体の外側に容易にバンドを結束することができるプロテクタ及び該プロテクタを備えた電気接続箱を提供する。【解決手段】電気接続箱１は箱本体２とプロテクタ３を備えている。プロテクタ３はプロテクタ本体９とガイド部１０を備えている。ガイド部１０は外周立設壁１２とガイド壁１３と連結部１４と規制片１５を備えている。外周立設壁１２はプロテクタ本体９の外縁から立設している。ガイド壁１３は外周立設壁１２に連なりプロテクタ本体９の外周面９ａと平行でかつ該外周面９ａと間隔をあけている。連結部１４はガイド壁１３と箱本体２とを互いに連結する。規制片１５はプロテクタ本体９の外周面９ａとガイド壁１３とに連なっている。プロテクタ本体９の外周面９ａと外周立設壁１２とガイド壁１３との間にバンドを通す。【選択図】図３
2006149076.tif 000002
【特許請求の範囲】
【請求項１】
樋状に形成されかつ内側にワイヤハーネスを収容するプロテクタ本体を備え、バンドにより前記プロテクタ本体に前記ワイヤハーネスが結束されるプロテクタにおいて、
前記プロテクタ本体の外周側に設けられ、かつ該プロテクタ本体の外周面と間隔をあけているとともに、該外周面と平行に形成されて、前記プロテクタ本体の外周面との間に前記バンドを通すガイド壁を備えたことを特徴とするプロテクタ。
【請求項２】
前記プロテクタ本体の外周面と前記ガイド壁との双方に連なり、前記プロテクタ本体の外周面と前記ガイド壁との間に通されたバンドが前記ワイヤハーネスの長手方向に沿って位置ずれすることを規制する位置ずれ規制部を備えたことを特徴とする請求項１記載のプロテクタ。
【請求項３】
電気部品が装着される装着部を設けた箱本体と、
請求項１または請求項２に記載のプロテクタと、を備えた電気接続箱において、
前記プロテクタの一端が前記箱本体に連なっていることを特徴とする電気接続箱。
【発明の詳細な説明】
【技術分野】
【０００１】
本発明は、移動体としての自動車などに搭載されるワイヤハーネスを保護するプロテクタ及び該プロテクタを備えた電気接続箱に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力や所望の信号を供給するために、前記自動車は、ワイヤハーネスを配索していた。ワイヤハーネスは、複数の電線などからなる。このため、ワイヤハーネスには、前述した電線などに異物が接触して該電線などが破損することを防止するために、ハーネス用プロテクタ（例えば、特許文献１参照）が取り付けられてきた。
【０００４】
特許文献１に示されたプロテクタは、樋状に形成されかつ内側にワイヤハーネスを収容するプロテクタ本体と、一端がプロテクタ本体の内側面に連なったバンドと、を備えている。前述したプロテクタは、バンドがプロテクタ本体内でワイヤハーネスを結束して、プロテクタ本体をワイヤハーネスに固定する。こうして、前述したプロテクタは、ワイヤハーネスと固定され、該ワイヤハーネスを保護する。
【特許文献１】特開平１１−３１３４２９号公報
【発明の開示】
【発明が解決しようとする課題】
【０００５】
前述した従来のプロテクタは、プロテクタ本体内でワイヤハーネスをバンドで結束するため、バンドでワイヤハーネスを結束する作業をプロテクタ本体内という狭い空間で行う必要があった。このため、前述したプロテクタは、バンドがワイヤハーネスを結束しづらかった。則ち、前述したプロテクタは、ワイヤハーネスに固定しにくかった。
【０００６】
このため、バンドをプロテクタ本体の外側に通して、該バンドをワイヤハーネス毎プロテクタ本体の外側に結束することも考えられる。この場合、プロテクタ本体の外周にバンドを沿わせるために、作業員が他作業などでプロテクタ本体の外周面に押し付けながら、バンドをプロテクタ本体の外側に通す必要があった。この場合も、バンドでワイヤハーネスを結束する際にかかる手間が増加する傾向であった。
【０００７】
したがって、本発明の目的は、プロテクタ本体の外側に容易にバンドを結束することができるプロテクタ及び該プロテクタを備えた電気接続箱を提供することにある。
【課題を解決するための手段】
【０００８】
前記課題を解決し目的を達成するために、請求項１に記載の本発明のプロテクタは、樋状に形成されかつ内側にワイヤハーネスを収容するプロテクタ本体を備え、バンドにより前記プロテクタ本体に前記ワイヤハーネスが結束されるプロテクタにおいて、前記プロテクタ本体の外周側に設けられ、かつ該プロテクタ本体の外周面と間隔をあけているとともに、該外周面と平行に形成されて、前記プロテクタ本体の外周面との間に前記バンドを通すガイド壁を備えたことを特徴としている。
【０００９】
請求項２に記載の本発明のプロテクタは、請求項１記載のプロテクタにおいて、前記プロテクタ本体の外周面と前記ガイド壁との双方に連なり、前記プロテクタ本体の外周面と前記ガイド壁との間に通されたバンドが前記ワイヤハーネスの長手方向に沿って位置ずれすることを規制する位置ずれ規制部を備えたことを特徴としている。
【００１０】
請求項３に記載の本発明の電気接続箱は、電気部品が装着される装着部を設けた箱本体と、請求項１または請求項２に記載のプロテクタと、を備えた電気接続箱において、前記プロテクタの一端が前記箱本体に連なっていることを特徴としている。
【００１１】
請求項１に記載した本発明のプロテクタによれば、ガイド壁がプロテクタ本体の外周面と平行に形成されているので、ガイド壁とプロテクタ本体の外周面との間にバンドを挿入すると、容易にバンドをプロテクタ本体の外側に通すことができる。
【００１２】
請求項２に記載した本発明のプロテクタによれば、位置ずれ規制部は、バンドがワイヤハーネスの長手方向に沿って位置ずれすることを防止できる。このため、プロテクタ本体の外側に通したバンド及びプロテクタ本体の外側に結束したバンドが、ワイヤハーネスの長手方向に沿って位置ずれして、ガイド壁とプロテクタ本体の外周面との間から不意に脱落することを防止できる。
【００１３】
請求項３に記載した本発明の電気接続箱によれば、請求項１または請求項２に記載のプロテクタを備えたので、容易にバンドをプロテクタ本体の外側に通すことができる。
【００１４】
また、プロテクタ本体が箱本体と一体であるので、箱本体に対しプロテクタ本体が位置ずれすることを防止できる。
【発明の効果】
【００１５】
以上説明したように請求項１に記載の本発明は、容易にバンドをプロテクタ本体の外側に通すことができる。したがって、プロテクタ本体の外側に容易にバンドを結束することができる。
【００１６】
請求項２に記載の本発明は、プロテクタ本体の外側に通したバンド及びプロテクタ本体の外側に結束したバンドが、ワイヤハーネスの長手方向に沿って位置ずれして、ガイド壁とプロテクタ本体の外周面との間から不意に脱落することを防止できる。したがって、結束したバンドがプロテクタ本体から脱落することを防止できる。
【００１７】
請求項３に記載した本発明の電気接続箱によれば、請求項１または請求項２に記載のプロテクタを備えたので、容易にバンドをプロテクタ本体の外側に通すことができる。したがって、プロテクタ本体の外側に容易にバンドを結束することができる。
【００１８】
また、プロテクタ本体が箱本体と一体であるので、箱本体に対しプロテクタ本体が位置ずれすることを防止できるので、プロテクタ本体内に収容してワイヤハーネスを箱本体から確実に所望の方向に導出することができる。
【発明を実施するための最良の形態】
【００１９】
以下、本発明の一実施形態にかかるプロテクタ及び該プロテクタを備えた電気接続箱を、図１ないし図１２に基づいて説明する。本実施形態にかかる図１に示す電気接続箱１は、移動体としての自動車に搭載される。
【００２０】
電気接続箱１は、図１に示すように、箱本体２と、図示しない配線盤と、プロテクタ３
などを備えている。箱本体２は、絶縁性の合成樹脂からなり、周知の射出成形により成形される。箱本体２は、複数の外壁４により、筒状（箱状）に形成されている。
【００２１】
また、箱本体２の図１の手前側に位置する上面（表面に相当する）２ａには、リレー５及びヒュージブルリンク６などの電気部品が装着される装着部８が複数設けられている。
【００２２】
また、箱本体２の図１の奥側に位置する図示しない下面には、前述した自動車に配索されるワイヤハーネス７（図２中に一点鎖線で示す）のコネクタが嵌合する。ワイヤハーネス７は、複数の電線と、該電線の端末などに取り付けられたコネクタとを備えている。コネクタは、前述した自動車に搭載される各種の電子機器や、前述した箱本体２に嵌合する。
【００２３】
配線盤は、導電性のバスバと、絶縁板などを備えている。バスバは、導電性の板金に打ち抜き加工などのプレス加工が施されて得られる。バスバは、複数設けられている。複数のバスバは、互いに重ねられている。絶縁板は、互いに重ねられたバスバ間などに配され、バスバ同士が意図しない箇所で相互に電気的に接続すること則ち短絡することを防止するとともに、バスバを位置決めしている。
【００２４】
配線盤は、箱本体２内に収容されると、バスバがワイヤハーネス７のコネクタと、装着部８に装着されたリレー５及びヒュージブルリンク６などの電気部品とを予め定められたパターンにしたがって、互いに電気的に接続する。
【００２５】
プロテクタ３は、図２及び図３に示すように、絶縁性の合成樹脂からなり、プロテクタ本体９と、ガイド部１０と、複数のバンドガイド１１とを一体に備えている。
【００２６】
プロテクタ本体９は、樋状に形成されかつ内側に前述したワイヤハーネス７を収容する。プロテクタ本体９は、ワイヤハーネス７を収容すると、その長手方向がワイヤハーネス７の長手方向と平行になる。プロテクタ本体９は、図示例では、ワイヤハーネス７の長手方向に交差する方向の断面形状が、円弧状に形成されている。
【００２７】
また、プロテクタ本体９は、その長手方向の一端がガイド部１０を介して箱本体２に連なっている。則ち、プロテクタ３は、箱本体２と一体に形成されている。プロテクタ本体９は、箱本体２の隅から該箱本体２の外側に向かって延在している。
【００２８】
ガイド部１０は、図４ないし図７に示すように、位置ずれ規制部としての外周立設壁１２と、ガイド壁１３と、連結部１４と、位置ずれ規制部としての規制片１５（図３及び図５に示す）とを備えている。外周立設壁１２は、プロテクタ本体９の前述した一端の外縁から、プロテクタ本体９の外周面に対し直交する方向に沿って、該プロテクタ本体９の外周方向に突出している。外周立設壁１２は、プロテクタ本体９の外周面９ａの全周に亘って設けられている。
【００２９】
ガイド壁１３は、外周立設壁１２のプロテクタ本体９から離れた側の端に連なっているとともに、前記外周立設壁１２の端からガイド壁１３と平行に延びている。ガイド壁１３は、前述した外周立設壁１２の端の全周に亘って設けられている。ガイド壁１３の内周面１３ａは、プロテクタ本体９の外周面９ａと平行であるとともに、該プロテクタ本体９の外周面９ａと間隔をあけている。
【００３０】
則ち、ガイド壁１３は、プロテクタ本体９の外周側に設けられ、該プロテクタ本体９の外周面９ａと間隔をあけて配されている。また、プロテクタ本体９の外周面９ａとガイド壁１３との間隔は、プロテクタ本体９にワイヤハーネス７を結束する後述するバンド１６（図２中に二点鎖線で示す）の厚みに応じた値になっている。連結部１４は、ガイド壁１３と箱本体２とを互いに連結している。
【００３１】
規制片１５は、前述したプロテクタ本体９の箱本体２に連なる一端に三つ設けられている。それぞれの規制片１５は、プロテクタ本体９の周方向の両端と周方向の中央に設けられている。規制片１５は、外周立設壁１２よりプロテクタ本体９の長手方向の他端寄りに設けられ、外周立設壁１２と間隔をあけて配されている。規制片１５は、プロテクタ本体９の外周面９ａとガイド壁１３との双方に連なっている。規制片１５と外周立設壁１２との間隔は、前述したバンド１６の幅に応じた値になっている。
【００３２】
前述した構成によって、前述したプロテクタ本体９の外周面９ａと外周立設壁１２とガイド壁１３との間の空間に前述したバンド１６を挿入することができる。また、バンド１６は、規制片１５と外周立設壁１２との間に位置付けられて、プロテクタ本体９の長手方向に沿って移動することが規制される。則ち、外周立設壁１２と規制片１５は、バンド１６がワイヤハーネス７の長手方向に沿って位置決めする（位置ずれすることを規制する）。
【００３３】
バンドガイド１１は、プロテクタ本体９の長手方向の他端と中央部にそれぞれ三つずつずつ設けられている。バンドガイド１１は、プロテクタ本体９の長手方向の他端と中央部のそれぞれにおいて、プロテクタ本体９の周方向の両端と周方向の中央に設けられている。それぞれのバンドガイド１１は、一対の立設片１７と、一つの連結片１８とを一体に備えている。
【００３４】
一対の立設片１７は、プロテクタ本体９の外周面９ａから該プロテクタ本体９の外周方向に立設している。一対の立設片１７は、プロテクタ本体９の長手方向に沿って、互いに間隔をあけて配されている。一対の立設片１７間の間隔は、前述したバンド１６の幅に応じた値になっている。連結片１８は、一対の立設片１７のプロテクタ本体９の外周面９ａから離れた側の端を互いに連結している。
【００３５】
バンドガイド１１は、一対の立設片１７と連結片１８とを備えてコ字状に形成されている。バンドガイド１１は、内側（則ち一対の立設片１７間でかつプロテクタ本体９の外周面９ａと連結片１８との間）に、ワイヤハーネス７をプロテクタ本体９に結束するバンド１６を通すことができる。
【００３６】
前述した電気接続箱１は、以下のように組み立てられる。まず、箱本体２内に配線盤を収容し、箱本体２の上面２ａに設けられた装着部８にヒュージブルリンク６やリレー５などの電気部品が装着される。
【００３７】
また、バンドガイド１１にバンド１６を挿入して、プロテクタ３の長手方向の他端と中央部にバンド１６を取り付ける。さらに、プロテクタ本体９の長手方向の一端にバンド１６を取り付ける際には、まず、図８に示すように、プロテクタ本体９の周方向の一方の端に位置するプロテクタ本体９の外周面９ａとの間でかつ外周立設壁１２と規制片１５との間と、バンド１６の先端とを相対させる。そして、バンド１６を前述した一方の端に位置するプロテクタ本体９の外周面９ａとの間でかつ外周立設壁１２と規制片１５との間に挿入する。
【００３８】
すると、図９に示すように、バンド１６の先端がガイド壁１３に接触する。さらに、バンド１６を挿入すると、ガイド壁１３がプロテクタ本体９の外周面９ａと平行であるので、図１０に示すように、ガイド壁１３によりバンド１６が該ガイド壁１３に沿って曲げられる。
【００３９】
そして、図１１に示すように、バンド１６の先端が、プロテクタ本体９の周方向の中央に位置する規制片１５と外周立設壁１２との間を通り、さらに、プロテクタ本体９の周方向の他方の端に位置する規制片１５と外周立設壁１２との間を通る。そして、バンド１６は、図１２に示すように、前述したガイド壁１３とプロテクタ本体９の外周面９ａとの間から箱本体２則ち電気接続箱１外に導かれる。こうして、バンド１６が、プロテクタ本体９の長手方向の一端に取り付けられる。
【００４０】
そして、電気接続箱１は、箱本体２の下面にワイヤハーネス７のコネクタを嵌合させる。ワイヤハーネス７をプロテクタ本体９内に収容し、前述したバンド１６で該ワイヤハーネス７をプロテクタ本体９に結束する。こうして、前述した電気接続箱１は、組み立てられて、自動車に搭載される。そして、電気接続箱１は、自動車の電子機器と、ヒュージブルリンク６やリレー５などの電気部品などとを、予め定められたパターンにしたがって、互いに電気的に接続する。
【００４１】
本実施形態によれば、ガイド壁１３がプロテクタ本体９の外周面９ａと平行に形成されているので、ガイド壁１３とプロテクタ本体９の外周面９ａとの間にバンド１６を挿入すると、容易にバンド１６をプロテクタ本体９の外側に通すことができる。したがって、プロテクタ本体９の外側に容易にバンド１６を結束することができる。
【００４２】
規制片１５は、バンド１６がワイヤハーネス７の長手方向に沿って位置ずれすることを防止できる。このため、プロテクタ本体９の外側に通したバンド１６及びプロテクタ本体９の外側に結束したバンド１６が、ワイヤハーネス７の長手方向に沿って位置ずれして、ガイド壁１３とプロテクタ本体９の外周面９ａとの間から不意に脱落することを防止できる。したがって、結束したバンド１６がプロテクタ本体９から脱落することを防止できる。
【００４３】
前述した電気接続箱１は、前述した構成のプロテクタ３を備えたので、容易にバンド１６をプロテクタ本体９の外側に通すことができ、プロテクタ本体９の外側に容易にバンド１６を結束することができる。
【００４４】
また、前述した電気接続箱１は、プロテクタ本体９が箱本体２と一体であるので、箱本体２に対しプロテクタ本体９が位置ずれすることを防止できる。このため、前述した電気接続箱１は、プロテクタ本体９内に収容したワイヤハーネス７を箱本体２から確実に所望の方向に導出することができる。
【００４５】
前述した実施形態では、プロテクタ本体９は断面円弧状に形成されている。しかしながら、本発明では、プロテクタ本体９は、断面コ字形などの他の形状に形成されても良い。ようするに本発明では、プロテクタ本体９の外周面９ａとガイド壁１３とを平行にすれば良い。また、本発明では、プロテクタ３は、電気接続箱１の箱本体２などに一体に形成されなくても良く、従来より周知のもののように単独でワイヤハーネス７を保護しても良い。
【００４６】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４７】
【図１】本発明の一実施形態に係る電気接続箱の平面図である。
【図２】図１に示された電気接続箱のプロテクタなどを示す斜視図である。
【図３】図２に示されたプロテクタなどの平面図である。
【図４】図３中のＩＶ−ＩＶ線に沿う断面を示す斜視図である。
【図５】図３中のＶ−Ｖ線に沿う断面図である。
【図６】図３中のＶＩ−ＶＩ線に沿う断面図である。
【図７】図３中のＶＩＩ−ＶＩＩ線に沿う断面を示す斜視図である。
【図８】図３に示されたプロテクタのプロテクタ本体へのバンドの取り付け作業を開始する状態を示す平面図である。
【図９】図８に示されたバンドをプロテクタのプロテクタ本体の外周面とガイド壁との間に挿入し始めた状態を示す平面図である。
【図１０】図９に示された状態よりバンドをプロテクタのプロテクタ本体の外周面とガイド壁との間に挿入した状態を示す平面図である。
【図１１】図１０に示された状態よりバンドをプロテクタのプロテクタ本体の外周面とガイド壁との間に挿入した状態を示す平面図である。
【図１２】図１１に示されたバンドをプロテクタのプロテクタ本体に取り付けた状態を示す平面図である。
【符号の説明】
【００４８】
１  電気接続箱
２  箱本体
３  プロテクタ
５  リレー（電気部品）
６  ヒュージブルリンク（電気部品）
８  装着部
９  プロテクタ本体
９ａ  外周面
１２  外周立設壁（位置ずれ規制部）
１３  ガイド壁
１５  規制片（位置ずれ規制部）
１６  バンド
【図１】
2006149076.tif 000003
【図２】
2006149076.tif 000004
【図３】
2006149076.tif 000005
【図４】
2006149076.tif 000006
【図５】
2006149076.tif 000007
【図６】
2006149076.tif 000008
【図７】
2006149076.tif 000009
【図８】
2006149076.tif 000010
【図９】
2006149076.tif 000011
【図１０】
2006149076.tif 000012
【図１１】
2006149076.tif 000013
【図１２】
2006149076.tif 000014